(57)【特許請求の範囲】
【請求項１】
既設のシャワー本体掛け具（１）に、固定手段（１７）を介して固定台（１１）を固定し、
前記固定台（１１）に、第１の調節手段を介して旋回取り付け台（２３）を、第１の垂直軸（Ｙ１−Ｙ１）の回りに回動可能にかつ使用者の選択した角度に定置可能に取り付け、
前記固定台１１の中心軸でありかつ旋回取り付け台（２３）の回動の中心軸である第１の垂直軸（Ｙ１−Ｙ１）に対して、これと直交する水平方向に偏心距離（ｅ）をおいて第２の垂直軸（Ｙ２−Ｙ２）を設定し、
前記第２の垂直軸（Ｙ２−Ｙ２）と直交する水平軸（Ｘ−Ｘ）上に支持軸取り付けスリーブ（２９）を配置するとともに、この支持軸取り付けスリーブ（２９）を前記旋回取り付け台（２３）に一体に取り付け、この支持軸取り付けスリーブ（２９）に、水平軸（Ｘ−Ｘ）の回りに長い長穴（３０）を形成し、
前記支持軸取り付けスリーブ（２９）の内部に、前記長穴（３０）を通して支持軸（４５）の根元部分を配置するとともに、第２の調節手段を介して前記支持軸（４５）を、水平軸（Ｘ−Ｘ）の回りに回動可能にかつ使用者が選択した角度に定置可能に設け、
前記支持軸（４５）に、長穴用のカバー部材（６７）をはさんでシャワー本体用の受け台（７１）を取り付け、
この受け台（７１）に、シャワー本体（３）のシャンク（４）を差し込んで取り付け可能に構成した、
ことを特徴とするシャワー取り付け装置。
【請求項２】
前記固定台（１１）の上部に、取り付け軸（１４）を一体に設け、
この取り付け軸（１４）に、第１の調節手段を構成している超高分子量ポリエチレン製の座板（３５）とゴム状弾性による高摩擦材製の高摩擦板（３６）とを装着し、同取り付け軸（１４）に、ボス部分（２４）に形成された軸嵌合穴（２６）を介して旋回取り付け台（２３）を取り付け、さらに同取り付け軸（１４）に、第１の調節手段を構成しているゴム状弾性による高摩擦材製の高摩擦板（３７）と超高分子量ポリエチレン製の座板（３８）と不回転スラスト座板（３９）とを装着し、前記取り付け軸（１４）の上端部に形成されたねじ穴（１６）に、第１の調節手段を構成している摩擦力調節部材（４２）のねじ棒（４４）をねじ込み、前記取り付け軸（１４）の回りに旋回取り付け台（２３）を回動可能にかつ使用者が選択した角度に定置可能に取り付けた、
ことを特徴とする請求項１記載のシャワー取り付け装置。
【請求項３】
前記支持軸（４５）の根元部分に角ブロック（４６）を設け、
前記支持軸取り付けスリーブ（２９）の内部に、第２の調節手段を構成している内部部品（５１）を装着するとともに、この内部部品（５１）を、垂直面で二分割され，かつ中央部に支持軸（４５）の角ブロック（４６）を嵌合する角溝（５３）を有し，しかも軸方向の両端部に摺動円錐部（５４），（５５）を設けた摩擦摺動回動ブロック（５２）と、超高分子量ポリエチレン製で，かつ前記摩擦摺動回動ブロック（５２）の当該摺動円錐部（５４），（５５）に嵌合する被摺動円錐面（５８），（５９）を有し、しかも前記摺動円錐部（５４），（５５）と被摺動円錐面（５８），（５９）の嵌合を介して摩擦摺動回動ブロック（５２）の外側に配置された摩擦固定環（５６），（５７）と、ゴム状弾性による高摩擦材製で，かつ当該摩擦固定環（５６），（５７）の外側に配置された高摩擦板（６０），（６１）と、高摩擦板（６１）の外側に配置された不回動スラスト座板（６２）とを組み合わせて構成し、
前記内部部品（５１）の摩擦摺動回動ブロック（５２）に形成された角溝（５３）に、支持軸取り付けスリーブ（２９）に形成された長穴（３０）を通して支持軸（４５）の角ブロック（４６）を嵌合させて支持軸取り付けスリーブ（２９）に支持軸（４５）を支持し、
前記内部部品（５１）と支持軸（４５）の角ブロック（４６）の中心部に、第２の調節手段を構成している摩擦力調節部材（６４）のねじ棒（６６）を挿通し、このねじ棒（６６）を支持軸取り付けスリーブ（２９）の端部に形成されたねじ穴（３３）にねじ込み、前記支持軸（４５）を水平軸（Ｘ−Ｘ）の回りに回動可能にかつ使用者が選択した角度に定置可能に取り付けた、
ことを特徴とする請求項１記載のシャワー取り付け装置。
【発明の詳細な説明】
【０００１】
【発明の属する技術分野】
本発明は、シャワー取り付け装置に係り、特に使用者がシャワー本体を、シャワー本体用の受け台を介して広い範囲にわたって角度を調節し、使用するために好適なシャワー取り付け装置に関する。
【０００２】
【従来の技術】
この種シャワー取り付け装置の従来技術としては、本発明の出願人によって提案された特許第３３１３０９６号の特許発明がある。
【０００３】
図６は従来技術の使用状態の斜視図である。
【０００４】
この図６に示す従来のシャワー取り付け装置８０は、固定スリーブ８１と、固定スリーブ用の固定手段８２と、可動スリーブ８６と、この可動スリーブ８６を垂直軸Ｙ−Ｙの回りに回転可能にかつ所望の角度に固定する第１の調節手段と、可動スリーブ８６に形成された長穴８８のカバー部材９２と、このカバー部材９２および長穴８８を通して可動スリーブ８６の内部に配置されたシャワー本体用の受け台９３と、この受け台９３を水平軸Ｘ−Ｘの回りに回転可能にかつ所望の角度に固定する第２の調節手段とを備えて構成されている。
【０００５】
前記固定スリーブ用の固定手段８２は、上面に斜面８４を有する傾斜パイプ８３と、締め付けボルト８５とを有し、既設のシャワー本体掛け具１のフォーク状の部分２に固定スリーブ８１を固定し得るように構成されている。
【０００６】
前記可動スリーブ８６は、水平軸Ｘ−Ｘ方向に長いスリーブ本体８７と、このスリーブ本体８７の下部に延設された軸部分（図示せず）とを有している。前記スリーブ本体８７には、水平軸Ｘ−Ｘの回りに長い長穴８８と、第２の調節手段を構成している摩擦力増圧部材のねじ棒９６を嵌合させるねじ穴８９と、内部部品を押し出す押し出しスパナ（図示せず）用のピン穴９０とが形成されている。この可動スリーブ８６は、軸部分を前記固定スリーブ８１の上部より内部に向かって差し込み、垂直軸Ｙ−Ｙの回りに回転可能に取り付けられている。
【０００７】
前記第１の調節手段は、締め付けボルト９１を有している。そして、固定スリーブ８１の側部から内部に向かって形成されたねじ穴に前記締め付けボルト９１をねじ込み、この締め付けボルト９１により前記可動スリーブ８６の軸部分を止めることによって、可動スリーブ８６を垂直軸Ｙ−Ｙの回りに回転しないように固定し得るようになっている。
【０００８】
前記カバー部材９２は、可動スリーブ８６に形成された前記長穴８８を覆うようになっている。
【０００９】
前記シャワー本体用の受け台９３は、受け台本体９４と、この受け台本体９４の下部に延設された軸部分（図示せず）とを有している。前記受け台本体９４の先端部には、シャンク用穴９５が形成されていて、このシャンク用穴９５にシャワー本体３に続くシャンク４を掛け止めることによって、シャワー本体３を支持するようになっている。前記受け台９３の軸部分は、長穴用のカバー部材９２から長穴８８を通じて可動スリーブ８６のスリーブ本体８７の内部に配置され、この軸部分の下端部が第２の調節手段を構成している内部部品における回動・摩擦固定ブロック（図示せず）に挿設されていて、この取り付け構造を介してシャワー本体用の受け台９３が水平軸Ｘ−Ｘの回りに回転可能に支持されている。
【００１０】
前記第２の調節手段は、シャワー本体用の受け台９３の前記軸部分を支持している回動・摩擦固定ブロックを含む内部部品（図示せず）と、回転操作用のつまみとねじ棒９６とを有する摩擦力増圧部材とを備えている。そして、前記第２の調節手段はねじ棒９６を内部部品およびシャワー本体用の受け台９３の軸部分の下端部に挿通し、可動スリーブ８６の端部に形成されたねじ穴８９にねじ込み、前記受け台９３の軸部分を止めることによって、シャワー本体用の受け台９３を水平軸Ｘ−Ｘの回りに回転しないように固定し得るように構成されている。
【００１１】
しかして、既設のシャワー本体掛け具１のフォーク状の部分２に、前記シャワー取り付け装置８０を取り付けるには、前記フォーク状の部分２に固定スリーブ８１を掛け止め、この固定スリーブ８１の下部外側に、固定手段８２の傾斜パイプ８３を嵌め、傾斜パイプ８３の斜面８４の頂部を前記フォーク状の部分２に差し込み、傾斜パイプ８３の下部側から固定スリーブ８１の内部に向かって締め付けボルト８５をねじ込み、前記フォーク状の部分２に前記傾斜パイプ８３の斜面８４を介して固定スリーブ８１を固定し、シャワー本体掛け具１にシャワー取り付け装置８０全体を取り付ける。
【００１２】
ついで、シャワー本体用の受け台９３のシャンク用穴９５にシャワー本体３のシャンク４を掛け止め、シャワー本体３を使用状態に支持する。なお、図６中、符号５はシャンクに接続されたホースである。
【００１３】
この使用状態で、シャワー本体３を垂直軸Ｙ−Ｙの回りに角度を調節する場合は、第１の調節手段を構成している締め付けボルト９１を緩め、可動スリーブ８６とこれに付属の部材を垂直軸Ｙ−Ｙの回りに回転させ、角度を調節した後、締め付けボルト９１を締める。これにより、シャワー本体用の受け台９３を介してシャワー本体３の垂直軸Ｙ−Ｙの回りの角度、つまり左右方向の角度を使用者が選択した角度に調節することができる。
【００１４】
また、シャワー本体３を水平軸Ｘ−Ｘの回りに角度を調節する場合は、第２の調節手段を構成している摩擦力増圧部材のねじ棒９６を緩め、シャワー本体用の受け台９３を水平軸Ｘ−Ｘの回りに回転させると、シャワー本体の受け台９３が長穴用のカバー部材９２と、内部部品の回動・摩擦固定ブロックと一緒に回動する。前述のごとく、シャワー本体用の受け台９３を水平軸Ｘ−Ｘの回りに回転させ、角度を調節した後、摩擦力増圧部材のねじ棒９６を締め付ける。これにより、シャワー本体用の受け台９３を介してシャワー本体３の水平軸Ｘ−Ｘの回りの角度、つまり上下方向の角度を使用者が選択した角度に調節することができる。
【００１５】
【発明が解決しようとする課題】
しかしながら、前記従来のシャワー取り付け装置８０には、次のような改善すべき課題があった。
【００１６】
すなわち、シャワー本体３を固定スリーブ８１と共通の垂直軸Ｙ−Ｙの回りに回転させ、左右方向の角度を調節し、またシャワー本体３を前記垂直軸Ｙ−Ｙと直交する水平軸Ｘ−Ｘの回りに回転させ、上下方向の角度を調節するようにしているので、受け台９３に支持されたシャワー本体３のホース５が、固定スリーブ８１やシャワー本体掛け具１の取り付け壁面に接触しやすい。このため、受け台９３に支持されたシャワー本体３における垂直軸Ｙ−Ｙおよび水平軸Ｘ−Ｘの回りの調節角度が小さく制限されるという課題があった。
【００１７】
本発明は、上記の事情に鑑みなされたもので、その目的とするところは、シャワー本体用の受け台に支持されたシャワー本体の調節角度を大きく取れるシャワー取り付け装置を提供することにある。
【００１８】
また、本発明の他の目的は、シャワー本体用の受け台を支持する旋回取り付け台を第１の垂直軸の回りに回動させかつ所望の角度に定置する第１の調節手段が不回動スラスト座板設置のため回動せず、かつ旋回取り付け台をスムーズに繰り返し回動させ得るシャワー取り付け装置を提供することにある。
【００１９】
さらに、本発明の他の目的は、シャワー本体用の受け台を支持する支持軸を、第２の垂直軸と直交する水平軸の回りに回動させかつ所望の角度に定置する第２の調節手段が不回動スラスト座板設置のため回転せず、かつ支持軸をスムーズに回動させることができ、しかも第２の調節手段を容易に分解し、洗浄し得るシャワー取り付け装置を提供することにある。
【００２０】
【課題を解決するための手段】
前記目的を達成するため、本発明では既設のシャワー本体掛け具１に、固定手段１７を介して固定台１１を固定し、前記固定台１１に、第１の調節手段を介して旋回取り付け台２３を、第１の垂直軸Ｙ１−Ｙ１の回りに回動可能にかつ使用者の選択した角度に定置可能に取り付け、前記固定台１１の中心軸でありかつ旋回取り付け台２３の回動の中心軸である第１の垂直軸Ｙ１−Ｙ１に対して、これと直交する水平方向に偏心距離ｅをおいて第２の垂直軸Ｙ２−Ｙ２を設定し、前記第２の垂直軸Ｙ２−Ｙ２と直交する水平軸Ｘ−Ｘ上に支持軸取り付けスリーブ２９を配置するとともに、この支持軸取り付けスリーブ２９を前記旋回取り付け台２３に一体に取り付け、この支持軸取り付けスリーブ２９に、水平軸Ｘ−Ｘの回りに長い長穴３０を形成し、前記支持軸取り付けスリーブ２９の内部に、前記長穴３０を通して支持軸４５の根元部分を配置するとともに、第２の調節手段を介して前記支持軸４５を、水平軸Ｘ−Ｘの回りに回動可能にかつ使用者が選択した角度に定置可能に設け、前記支持軸４５に、長穴用のカバー部材６７をはさんでシャワー本体用の受け台７１を取り付け、この受け台７１にシャワー本体３のシャンク４を差し込んで取り付け可能に構成している。
【００２１】
また、前記目的を達成するため、本発明では前記固定台１１の上部に、取り付け軸１４を一体に設け、この取り付け軸１４に、第１の調節手段を構成している超高分子量ポリエチレン製の座板３５とゴム状弾性による高摩擦材製の高摩擦板３６とを装着し同取り付け軸１４に、ボス部分２４に形成された軸嵌合穴２６を介して旋回取り付け台２３とを取り付け、さらに同取り付け軸１４に、第１の調節手段を構成しているゴム状弾性による高摩擦材製の高摩擦板３７と超高分子量ポリエチレン製の座板３８とスラスト座板３９とを装着し、前記取り付け軸１４の上端部に形成されたねじ穴１６に、第１の調節手段を構成している摩擦力調節部材４２のねじ棒４４をねじ込み、前記取り付け軸１４の回りに旋回取り付け台２３を回動可能にかつ使用者が選択した角度に定置可能に取り付けている。
【００２２】
さらに、前記目的を達成するため、本発明では前記支持軸４５の根元部分に角ブロック４６を設け、前記支持軸取り付けスリーブ２９の内部に、第２の調節手段を構成している内部部品５１を装着するとともに、この内部部品５１を、垂直面で二分割され，かつ中央部に支持軸４５の角ブロック４６を嵌合する角溝５３を有し，しかも軸方向の両端部に摺動円錐部５４，５５を設けた摩擦摺動回動ブロック５２と、超高分子量ポリエチレン製で，かつ前記摩擦摺動回動ブロック５２の当該摺動円錐部５４，５５に嵌合する被摺動円錐面５８，５９を有し，しかも前記摺動円錐部５４，５５と被摺動円錐面５８，５９の嵌合を介して摩擦摺動回動ブロック５２の外側に配置された摩擦固定環５６，５７と、ゴム状弾性による高摩擦材製で，かつ当該摩擦固定環５６，５７の外側に配置された高摩擦板６０，６１と、高摩擦板６１の外側に配置された不回動スラスト座板６２とを組み合わせて構成し、前記内部部品５１の摩擦摺動回動ブロック５２に形成された角溝５３に、支持軸取り付けスリーブ２９に形成された長穴３０を通して支持軸４５の角ブロック４６を嵌合させて支持軸取り付けスリーブ２９に支持軸４５を支持し、前記内部部品５１と支持軸４５の角ブロック４６の中心部に、第２の調節手段を構成している摩擦力調節部材６４のねじ棒６６を挿通しこのねじ棒６６を、支持軸取り付けスリーブ２９の端部に形成されたねじ穴３３にねじ込み、前記支持軸４５を水平軸Ｘ−Ｘの回りに回動可能にかつ使用者が選択した角度に定置可能に取り付けている。
【００２３】
【発明の実施の形態】
以下、本発明の実施例を図面に基づいて説明する。
【００２４】
図１〜図５は本発明の一実施例を示すもので、図１は分解斜視図、図２は使用状態の斜視図、図３は図２のＡ１〜Ａ４で囲まれた垂直面で切断した断面図、図４は図３のＢ−Ｂ矢視図、図５は図３のＣ−Ｃ線断面図である。
【００２５】
これら図１〜図５に示す実施例のシャワー取り付け装置１０は、固定台１１と、既設のシャワー本体掛け具１に固定台１１を固定する固定手段１７と、支持軸取り付けスリーブ用の旋回取り付け台２３と、これに取り付けられた支持軸取り付けスリーブ２９と、前記旋回取り付け台２３を第１の垂直軸Ｙ１−Ｙ１の回りに回動可能にかつ所望の角度に定置する第１の調節手段と、前記支持軸取り付けスリーブ２９に内部部品５１を介して取り付けられた支持軸４５と、この支持軸４５を水平軸Ｘ−Ｘの回りに回動可能にかつ所望の角度に定置する第２の調節手段と、前記支持軸取り付けスリーブ２９に形成された長穴用のカバー部材６７と、前記支持軸４５にカバー部材６７をはさんで取り付けられたシャワー本体用の受け台７１とを備えて構成されている。
【００２６】
前記シャワー本体掛け具１は、図２に示すように、フォーク状の部分２を有している。また、このシャワー本体掛け具１はシャワー使用場所の壁面にあらかじめ固定されている。なお、シャワー本体掛け具１は図２に示す形状のものに限らず、フォーク状の部分２を有するものであれば良い。
【００２７】
前記固定台１１は、緩やかなテーパ面のほぼ逆円錐形に形成された固定台本体１２と、これの下端面から内部に向かって形成されたねじ穴１３と、固定台本体１２の上部に設けられた取り付け軸１４と、この取り付け軸１４の上端面に、円周方向に１８０゜の間隔をおいて突設された凸部１５と、同取り付け軸１４の上端面から内部に向かって形成されたねじ穴１６とを有して構成されている。
【００２８】
前記固定台用の固定手段１７は、固定台１１の下端面から内部に向かって形成されたねじ穴１３と、上面が斜面１９に形成された傾斜パイプ１７と、締め付けボルト２０とを備えている。前記締め付けボルト２０は、つまみ２１と、前記固定台１１の固定台本体１２の下部に形成されたねじ穴１３にねじ込むねじ棒２２とを有している。
【００２９】
前記支持軸取り付けスリーブ用の旋回取り付け台２３は、ボス部分２４と、このボス部分２４から水平方向に延設されたスリーブ取り付け腕２５とを有している。前記ボス部分２４には、前記固定台１１に設けられた取り付け軸１４に嵌合する軸嵌合穴２６が形成されている。また、ボス部分２４には図３に示すように、軸嵌合穴２６の下部に座受け穴２７が形成され、上部には他の座受け穴２８が形成されている。
【００３０】
ところで、前記固定台１１と、旋回取り付け台２３のボス部分２４とは、第１の垂直軸Ｙ１−Ｙ１上に設けられている。そして、この第１の垂直軸Ｙ１−Ｙ１に対して水平方向に所要の偏心距離ｅを有する位置に、第２の垂直軸Ｙ２−Ｙ２が設定されている。
【００３１】
前記支持軸取り付けスリーブ２９は、前記第２の垂直軸Ｙ２−Ｙ２と直交する水平軸Ｘ−Ｘ上に配置され、かつ前記旋回取り付け台２３のスリーブ取り付け腕２５に一体に取り付けられている。前記支持軸取り付けスリーブ２９には、長穴３０と、係合溝３１と、ドレン穴３２と、ねじ穴３３と、ピン穴３４とが形成されている。前記長穴３０は、支持軸取り付けスリーブ２９の中心軸のほぼ中央部に形成され、水平軸Ｘ−Ｘの回りに長く形成されている。この長穴３０には、支持軸４５の下端部が挿設される。前記係合溝３１は、支持軸取り付けスリーブ２９の中心軸の一端部側に形成されている。前記ドレン穴３２は、支持軸取り付けスリーブ２９の中心軸のほぼ中央部に形成されている。前記ねじ穴３３は、支持軸取り付けスリーブ２９の中心軸の他端部側に形成されている。前記ピン穴３４は、支持軸取り付けスリーブ２９の中心軸の他端部に、円周方向に互いに所定の間隔をおいて、この実施例では４個設けられている。このピン穴３４には、後述の第２の調節手段を構成している内部部品５１を分解するとき、４本のピンを持った押し出しスパナの、各ピンを差し込み、前記内部部品５１を押し出すようになっている。
【００３２】
前記第１の調節手段は、前記固定台１１の上端面に設けられかつ凸部１５，１５およびねじ穴１６を有する取り付け軸１４と、座板３５と高摩擦板３６の組と、他の高摩擦板３７と座板３８と回動防止用の不回動スラスト座板３９の組と、摩擦力調節部材４２とを備えている。前記座板３５，３８は、超高分子量ポリエチレンで形成されている。前記高摩擦板３６，３７は、ゴム状弾性による高摩擦材で形成されている。前記不回動スラスト座板３９は、プラスチックで形成されている。この不回動スラスト座板３９には、中央部にねじ通し穴４０が形成され、その回りには前記取り付け軸１４に設けられた凸部１５，１５に嵌合する凸部嵌合穴４１，４１が形成されている。前記摩擦力調節部材４２は、つまみ４３と、これに取り付けられたねじ棒４４とを有している。
【００３３】
前記固定台１１には、第１の調節手段を構成している部材と、旋回取り付け台２３とが次のように取り付けられている。
【００３４】
すなわち、固定台１１の固定台本体１２上に、取り付け軸１４を通して、第１の調節手段を構成している座板３５と高摩擦板３６の組が装着されている。ついで、同取り付け軸１４に旋回取り付け台２３のボス部分２４に形成された軸嵌合穴２６を嵌合させ、前記座板３５と高摩擦板３６をはさんで取り付け軸１４に旋回取り付け台２３のボス部分２４が取り付けられている。さらに、旋回取り付け台２３のボス部分２４上に、同取り付け軸１４を通して、第１の調節手段を構成している高摩擦板３７と座板３８と不回動スラスト座板３９の組が装着されている。ここで、取り付け軸１４上に設けられた凸部１５，１５に、不回動スラスト座板３９に形成された凸部嵌合穴４１，４１を嵌合させ、不回動スラスト座板３９の回動を防止する。ついで、不回動スラスト座板３９に形成されたねじ通し穴４０に摩擦力調節部材４２のねじ棒４４を通し、このねじ棒４４を取り付け軸１４に形成されたねじ穴１６にねじ込むことによって、固定台１１上に取り付け軸１４を介して、また第１の垂直軸Ｙ１−Ｙ１に沿って、第１の調節手段を構成している部材と旋回取り付け台２３とが取り付けられている。
【００３５】
前述のごとく、固定台１１上に第１の調節手段を構成している部材と旋回取り付け台２３とを取り付けているので、第１の調節手段を構成している摩擦力調節部材４２のねじ棒４４による締め付け力を緩め、各部材間の摩擦力を減圧することにより、旋回取り付け台２３を第１の垂直軸Ｙ１−Ｙ１の回りに回動させることができ、旋回取り付け台２３を所望の角度に回動させた後、摩擦力調節部材４２のねじ棒４４を締め付け、各部材間の摩擦力を増圧することにより、旋回取り付け台２３を調節された所望の角度に定置することができる。依って、摩擦力調節部材４２のねじ棒４４を正または逆方向に回転させることで、第１の垂直軸Y１−Y１に対する不回動スラスト座板３９と下部の座受け穴２７で構成している部品間の摩擦力が増または減となるので、摩擦力調節部材４２のねじ棒４４を締め付けることによって、旋回取り付け台２３の第１の垂直軸Y１−Y１回りの回動摩擦力を選定すれば、不回動スラスト座板３９と下部の座受け穴２７間の摩擦力が不変のため、旋回取り付け台２３を半永久的に回動することができる。
【００３６】
前記受け台用の支持軸４５は、中心軸の下部より上部に向かって、角ブロック４６と、丸軸４７と、角軸４８と、中間にくびれ部分５０を有する軸部分４９とを連ねて構成されている。この支持軸４５は、前記支持軸取り付けスリーブ２９に形成された長穴３０を通して、支持軸取り付けスリーブ２９の中心軸上に角ブロック４６の中心を配して設置される。そして、この支持軸４５は図３に示すように、中心軸を垂直に立てた状態では、第２の垂直軸Ｙ２−Ｙ２上に配置されている。
【００３７】
前記第２の調節手段は、支持軸取り付けスリーブ２９の内部に組み込まれた内部部品５１と、摩擦力調節部材６４とを備えている。
【００３８】
前記内部部品５１は、摩擦摺動回動ブロック５２と、摩擦固定環５６，５７と、高摩擦板６０，６１と、不回動スラスト座板６２とを有して構成されている。前記摩擦摺動回動ブロック５２は、硬質プラスチックで形成されている。また、摩擦摺動回動ブロック５２は垂直面で二分割されている。さらに、摩擦摺動回動ブロック５２の中央部には、前記支持軸４５の角ブロック４６を嵌合させる角溝５３が形成されており、水平軸方向の一方の端部には摺動円錐部５４が設けられ、他方の端部には摺動円錐部５５が設けられている。前記摩擦固定環５６，５７は、超高分子量ポリエチレンで形成されている。また、摩擦固定環５６には前記摩擦摺動回動ブロック５２の一方の摺動円錐部５４に嵌合する被摺動円錐面５８が形成され、他の摩擦固定環５７には同摩擦摺動回動ブロック５２の他方の摺動円錐部５５に嵌合する被摺動円錐面５９が形成されている。前記高摩擦板６０，６１は、ゴム状弾性による高摩擦材で形成されている。前記不回動スラスト座板６２は、ステンレスで形成されている。この不回動スラスト座板６２には、前記支持軸取り付けスリーブ２９における水平軸Ｘ−Ｘの一方の端部側である開口部側に形成された係合溝３１に係合する係合突起６３が設けられている。なお、前記内部部品５１を構成している各部材は、支持軸取り付けスリーブ２９の内部に納まる外径に形成されており、また内部部品５１の各部材の中心部および支持軸４５の角ブロック４６の中心部にはねじ通し穴が形成されている。
【００３９】
前記摩擦力調節部材６４は、つまみ６５と、ねじ棒６６とを有している。このねじ棒６６は、前記支持軸取り付けスリーブ２９における水平軸Ｘ−Ｘの他方の端部側に形成されたねじ穴３３にねじ込み得るように形成されている。
【００４０】
そして、前記支持軸取り付けスリーブ２９には、支持軸４５と、第２の調節手段を構成している部材とが次のように取り付けられている。
【００４１】
すなわち、第２の調節手段を構成している内部部品５１の支持軸４５を一時除いて組み立て、この内部部品５１を支持軸取り付けスリーブ２９の開口部を通じて支持軸取り付けスリーブ２９の内部に挿入する。このとき、摩擦摺動回動ブロック５２の角溝５３を、支持軸取り付けスリーブ２９に形成された長穴３０に対向させて配置する。また、支持軸取り付けスリーブ２９の開口部側に形成された係合溝３１に、不回動スラスト座板６２に設けられた係合突起６３を係合させ、回動を防止する。ついで、前記長穴３０を通じて摩擦摺動回動ブロック５２の角溝５３に、支持軸４５の角ブロック４６を嵌合させ、支持軸４５を好ましくは第２の垂直軸Ｙ２−Ｙ２上に立てる。そして、前記内部部品５１と支持軸４５の角ブロック４６の中心部に形成されたねじ通し穴に、摩擦力調節部材６４のねじ棒６６を挿通し、このねじ棒６６を支持軸取り付けスリーブ２９の端部に形成されたねじ穴３３にねじ込み、締め付けて組み立てる。
【００４２】
前述のごとく、支持軸取り付けスリーブ２９に第２の調節手段を構成している部材と支持軸４５とを取り付けているので、摩擦力調節部材６４のねじ棒６６による締め付け力を緩め、内部部品５１を構成している部材間の摩擦力を減圧することにより、支持軸４５を水平軸Ｘ−Ｘの回りに回動させることができ、支持軸４５を所望の角度に回動させた後、摩擦力調節部材６４のねじ棒６６を締め付け、内部部品５１を構成している部材間の摩擦力を増圧することによって、支持軸４５を調節された所望の角度に定置することができる。依って、摩擦力調節部材６４のねじ棒６６を正または逆方向に回転させることによって、内部部品５１を構成している部品間の摩擦力が増または減となるので、シャンク用穴７４にシャワー本体３を差し込み、上下に動かし、上限で停止させた状態で、シャワー本体３の重量により自然旋回落下しないところで摩擦力調節部材６４のねじ棒６６を締め付ける。この押し圧力（摩擦力）によりシャワー本体３を希望する位置に定着することができるので、一度摩擦力を調節すると、不回動スラスト座板６２により押し圧力、すなわち摩擦力が不変のため、シャワー本体３を半永久的に回動することができる。
【００４３】
前記長穴のカバー部材６７は、カラー６８と、長穴カバー６９とを有している。前記長穴カバー６９は、支持軸取り付けスリーブ２９に形成された長穴３０よりも大きく形成されている。前記カラー６８と長穴カバー６９とにわたって、前記支持軸４５の角軸４８に嵌合する角穴７０が貫設されている。そして、カバー部材６７は支持軸４５の角軸４８にカバー部材６７の角穴７０を嵌合させることによって、長穴カバー６９により支持軸取り付けスリーブ２９の長穴３０を常に覆い得るようになっている。
【００４４】
前記シャワー本体用の受け台７１は、水平方向の一端部寄りに形成された嵌合丸穴７２と、外側から嵌合丸穴７２に向かって形成されたねじ穴７３と、他方の端部側に形成されたシャンク用穴７４とを有している。前記嵌合丸穴７２は、支持軸４５の上部に設けられた軸部分４９に嵌合する形状に形成されている。そして、この受け台７１は前記支持軸４５の軸部分４９に嵌合丸穴７２を嵌合させて装着され、かつ前記ねじ穴７３から取り付けねじ７５をねじ込み、この取り付けねじ７５を支持軸４５の軸部分４９のくびれ部分５０に圧着させることによって、支持軸４５に取り付けられている。
【００４５】
前述のごとく構成されたこの実施例のシャワー取り付け装置１０は、既設のシャワー本体掛け具１に次のように取り付けられ、使用される。
【００４６】
まず、既設のシャワー本体掛け具１にシャワー取り付け装置１０を固定するには、図２に示すように、シャワー本体掛け具１のフォーク状の部分２間に、その上方から固定台１１の固定台本体１２を差し込む。
【００４７】
ついで、固定台１１の下方から固定台本体１２に、固定台１１の固定手段１７を構成している傾斜パイプ１８を嵌める。このとき、シャワー本体掛け具１のフォーク状の部分２間に、傾斜パイプ１８の斜面１９の頂部を配置する。そして、固定台本体１２の下部に形成されたねじ穴１３に、固定台１１の固定手段１７を構成している締め付けボルト２０のねじ棒２２をねじ込み、締め付ける。これにより、シャワー本体掛け具１のフォーク状の部分２の先端部間に、傾斜パイプ１８の斜面１９の頂部がくさび状に食い込み、シャワー本体掛け具１のフォーク状の部分２の下面に、傾斜パイプ１８の斜面１９が必ず２点で当接し、シャワー本体掛け具１のフォーク状の部分２間に固定台１１のほぼ逆円錐形の固定台本体１２が強力に引き付けられる。したがって、シャワー本体掛け具１のフォーク状の部分２にシャワー取り付け装置１０の固定台１１を堅固に固定することができる。しかも、既製のいかなる形状のシャワー本体掛け具に対しても、前記固定手段１７によりシャワー取り付け装置１０の固定台１１を取り付けることができる。
【００４８】
以上のように、シャワー本体掛け具１にシャワー取り付け装置１０を固定した状態で、支持軸４５に取り付けられたシャワー本体用の受け台７１に形成されているシャンク用穴７４に、図２に示すように、シャワー本体３のシャンク４を掛け止め、シャワー本体３を使用する。
【００４９】
かかる使用時に、シャワー本体３を第１の垂直軸Ｙ１−Ｙ１の回りに角度を調節する場合は、第１の調節手段を構成している摩擦力調節部材４２を緩める。ついで、旋回取り付け台２３を第１の垂直軸Ｙ１−Ｙ１の回りに回転させると、旋回取り付け台２３のスリーブ取り付け腕２５を介して支持軸取り付けスリーブ２９が旋回し、これと一緒に支持軸４５とシャワー本体用の受け台７１とシャワー本体３とが旋回する。前記旋回取り付け台２３を所望の角度回転させた後、第１の調節手段を構成している摩擦力調節部材４２を締め付け、旋回取り付け台２３を定置する。これにより、旋回取り付け台２３と支持軸取り付けスリーブ２９と支持軸４５と受け台７１を介して、シャワー本体３を第１の垂直軸Ｙ１−Ｙ１回りの角度、つまり左右方向の角度を、使用者が選択した角度に簡単に水平移動することができる。すなわち、摩擦力調節部材４２のねじ棒４４を正または逆方向に回転させることで、第１の垂直軸Y１−Y１に対する不回動スラスト座板３９と下部の座受け穴２７で構成している部品間の摩擦力が増または減となるので、摩擦力調節部材４２のねじ棒４４を締め付けることによって、旋回取り付け台２３の第１の垂直軸Y１−Y１回りの回動摩擦力を選定すれば、不回動スラスト座板３９と下部の座受け穴２７間の摩擦力が不変のため、旋回取り付け台２３を半永久的に回動することができる。
【００５０】
ところで、この実施例では固定台１１の中心軸でありかつ旋回取り付け台２３の回転中心軸である第１の垂直軸Ｙ１−Ｙ１に対して、偏心距離ｅをおいた位置に第２の垂直軸Ｙ２−Ｙ２を設定し、この第２の垂直軸Ｙ２−Ｙ２と直交する水平軸Ｘ−Ｘ上に支持軸取り付けスリーブ２９を配置し、この支持軸取り付けスリーブ２９を旋回取り付け台２３に一体に取り付けている。また、前記支持軸取り付けスリーブ２９に、長穴３０を通じて支持軸４５の根元部分を挿入して支持している。さらに、前記支持軸４５の上端部に、シャワー本体用の受け台７１を取り付け、この受け台７１のシャンク用穴７４にシャワー本体３のシャンク４を取り付けてシャワー本体３を使用するようにしている。
【００５１】
したがって、この実施例では図２からも分かるように、第１の垂直軸Ｙ１−Ｙ１の回りに旋回取り付け台２３を回転させたとき、シャワー本体３は偏心距離ｅを回転半径として移動するので、第１の垂直軸Ｙ１−Ｙ１の回りに旋回取り付け台２３を大きな角度、回動させても、固定台１１やシャワー本体掛け具１の取り付け壁面に対して、シャワー本体３のシャンク４に取り付けられたホース５が接触しないようにすることができる。
【００５２】
それ故、必要に応じてシャワー本体３を第１の垂直軸Ｙ１−Ｙ１の回りに広い範囲に調節し、使用することができる。
【００５３】
また、この実施例では第１の垂直軸Ｙ１−Ｙ１の回りに旋回取り付け台２３を回転させ、所望の角度に固定するための第１の調節手段を、固定台本体１２の上部に設けられた取り付け軸１４を介して固定台本体１２と旋回取り付け台２３のボス部分２４間に、超高分子量ポリエチレン製の座板３５とゴム状弾性による高摩擦材製の高摩擦板３６の組を組み付け、旋回取り付け台２３のボス部分２４と不回動スラスト座板３９間に、ゴム状弾性による高摩擦材製の高摩擦板３７と超高分子量ポリエチレン製の座板３８の組を組み付け、これらの部材の内部を通して前記取り付け軸１４に形成されたねじ穴１６に摩擦力調節部材４２のねじ棒４４をねじ込み、締め付けるようにしている。
【００５４】
これにより、超高分子量ポリエチレン製の座板３５，３８とゴム状弾性による高摩擦材製の高摩擦板３６，３７とを当接させて組み込んだことによる組み合わせ特性を活かして、摩擦力調節部材４２を締め付けて旋回取り付け台２３を定置したときは緩まず、摩擦力調節部材４２の締め付けを緩めて旋回取り付け台２３を回動させるときはスムーズに回動させることができる。
【００５５】
さらに、この実施例では前記取り付け軸１４の上面に、円周方向に所定の間隔をおいて凸部１５，１５を設け、前記不回動スラスト座板３９に、前記凸部１５，１５に嵌合する凸部嵌合穴４１，４１を形成し、当該凸部１５，１５に凸部嵌合穴４１，４１を嵌合させ、不回動スラスト座板３９が回動しないようにしている。
【００５６】
その結果、摩擦力調節部材４２を締め付けて旋回取り付け台２３を固定した使用時に、第１の調節手段が緩んで旋回取り付け台２３が回動しないように、安定した状態に保持することができる。
【００５７】
なお、不回動スラスト座板３９の回動防止手段は、摩擦力調節部材４２を締め付け、または緩めつつあるときも不回動スラスト座板３９の回動を防止できる。
【００５８】
そして、この実施例では固定台本体１２の上部に設けられた取り付け軸１４に、旋回取り付け台２３のボス部分２４に形成された軸嵌合穴２６を嵌合させ、旋回取り付け台２３が取り付け軸１４の回りに回動するようにしているので、回動部分に耐久性を持たせることができる。
【００５９】
これにより、旋回取り付け台２３をスムーズに繰り返し回動させることができる。
【００６０】
つぎに、シャワー本体３を水平軸Ｘ−Ｘの回りに角度を調節する場合は、第２の調節手段を構成している摩擦力調節部材６４を緩める。ついで、シャワー本体用の受け台７１を握って水平軸Ｘ−Ｘの回りに回転させると、第２の調節手段を構成している内部部品５１を介して支持軸４５が同水平軸Ｘ−Ｘの回りに回転し、この支持軸４５と一緒に受け台７１とシャワー本体３とが回転する。前記シャワー本体３を所望の角度回転させた後、第２の調節手段を構成している前記摩擦力調節部材６４を緩め付け、前記内部部品５１を介して支持軸４５を固定し、受け台７１とシャワー本体３を固定する。これにより、支持軸４５と受け台７１を介してシャワー本体３を水平軸Ｘ−Ｘの回りの角度、つまり上下方向の角度を、使用者が選択した角度に簡単に調節することができる。すなわち、摩擦力調節部材６４のねじ棒６６を正または逆方向に回転させることによって、内部部品５１を構成している部品間の摩擦力が増または減となるので、シャンク用穴７４にシャワー本体３を差し込み、上下に動かし、上限で停止させた状態で、シャワー本体３の重量により自然旋回落下しないところで摩擦力調節部材６４のねじ棒６６を締め付ける。この押し圧力（摩擦力）によりシャワー本体３を希望する位置に定着することができるので、一度摩擦力を調節すると、不回動スラスト座板６２により押し圧力、すなわち摩擦力が不変のため、シャワー本体３を半永久的に回動することができる。
【００６１】
前述のごとく、この実施例では固定台１１の中心軸である第１の垂直軸Ｙ１−Ｙ１から偏心距離ｅ、離れた第２の垂直軸Ｙ２−Ｙ２と直交する水平軸Ｘ−Ｘ上に支持軸取り付けスリーブ２９を配置し、これに支持軸４５を支持し、この支持軸４５にシャワー本体用の受け台７１を取り付けている。
【００６２】
その結果、水平軸Ｘ−Ｘの回りにシャワー本体３の角度を調節する場合において、水平方向偏心距離ｅがあるので、シャワー本体３を最下限に旋回してもシャワー本体３のシャンク４に取り付けられたホース５が固定台１１に接触しない。また、シャワー本体３を最上限に旋回してもシャワー本体３のヘッドの后部がシャワー本体掛け具１の取付け壁面に接触しないようにすることができる。必要に応じてシャワー本体３を水平軸Ｘ−Ｘの回りに大きな角度に調節し、使用することができる。
【００６３】
前記シャワー本体３における水平軸Ｘ−Ｘの回りの角度調節時に、支持軸４５の移動に追従して長穴用のカバー部材６７も移動し、支持軸取り付けスリーブ２９に形成された長穴３０を長穴カバー６９により覆い、シャワー使用中、支持軸取り付けスリーブ２９内に浴水が入らないようにカバーする。
【００６４】
なお、支持軸取り付けスリーブ２９の内部に入ってしまった浴水は、支持軸取り付けスリーブ２９に形成されたドレン穴３２から排出される。
【００６５】
さらに、この実施例では支持軸４５における水平軸Ｘ−Ｘの回りの角度を調節する第２の調節手段を、支持軸取り付けスリーブ２９内に組み込む内部部品５１と、摩擦力調節部材６４とで構成している。また、前記内部部品５１を、垂直面で二分割に形成しかつ中央部に支持軸４５の角ブロック４６を嵌合する角溝５３を有し，しかも軸方向の両端部に摺動円錐部５４，５５を設けた摩擦摺動回動ブロック５２と、超高分子量ポリエチレン製で前記摩擦摺動回動ブロック５２の当該摺動円錐部５４，５５に嵌合する被摺動円錐面５８，５９を有し，かつ前記当該摺動円錐部５４，５５と被摺動円錐面５８，５９との嵌合を介して摩擦摺動回動ブロック５２の外側に配置された摩擦固定環５６，５７と、ゴム状弾性による高摩擦材製で，かつ当該摩擦固定環５６，５７の外側に配置された高摩擦板６０，６１と、前記高摩擦板６１の外側に配置された不回動スラスト座板６２とを組み合わせて構成している。そして、前記摩擦摺動回動ブロック５２に形成された角溝５３に、支持軸４５の根元部分に設けられた角ブロック４６を嵌合している。さらに、前記内部部品５１と角ブロック４６の中心部に、前記摩擦力調節部材６４に設けられたねじ棒６６を挿通し、このねじ棒６６を支持軸取り付けスリーブ２９の端部に形成されたねじ穴３３にねじ込み、締め付けて構成している。
【００６６】
したがって、この第２の調節手段においても、超高分子量ポリエチレン製の摩擦固定環５６，５７とゴム状弾性による高摩擦材製の高摩擦板６０，６１とを当接させて組み込んだことによる組み合わせ特性を活かして、摩擦力調節部材６４を締め付けて支持軸４５を定置したときは緩まず、摩擦力調節部材６４の締め付けを緩めて支持軸４５を水平軸Ｘ−Ｘの回りに回動させるときはスムーズに回動させることができる。
【００６７】
また、この実施例では支持軸取り付けスリーブ２９の開口側の端部に係合溝３１を形成し、第２の調節手段の内部部材５１を構成している不回動スラスト座板６２に、前記係合溝３１に係合する係合突起６３を設け、係合溝３１に係合突起６３を係合させ、不回動スラスト座板６２が回動しないようにしている。
【００６８】
その結果、摩擦力調節部材６４を締め付けて支持軸４５および受け台７１を介してシャワー本体３を固定する使用時に、第２の調節手段が緩んで支持軸４５が回転しないように、安定した状態に保持することができる。
【００６９】
なお、不回動スラスト座板６２の回動防止手段は、摩擦力調節部材６４を締め付け、または緩めつつあるときも不回動スラスト座板６２の回動を防止できる。
【００７０】
ついで、前記支持軸取り付けスリーブ２９から、第２の調節手段の内部部材５１を抜き出し、支持軸取り付けスリーブ２９の内部や内部部品５１を洗浄する場合は、第２の調節手段を構成している摩擦力調節部材６４を取り外し、支持軸４５を抜き取る。そして、支持軸取り付けスリーブ２９の端部に形成されたピン穴３４に、ピンを有する押し出しスパナの、ピンを差し込み、支持軸取り付けスリーブ２９から内部部品５１を押し出す。しかして、支持軸取り付けスリーブ２９の内部を洗浄し、また内部部品５１は分解して、個々に洗浄する。
【００７１】
ここで、この実施例では内部部品５１の摩擦摺動回動ブロック５２を二つに分割して構成してるので、支持軸４５を抜き出しやすく、また内部部品５１を分解しやすくすることができる。
【００７２】
【発明の効果】
以上説明したように、本発明では既設のシャワー本体掛け具１に、固定手段１７を介して固定台１１を固定し、前記固定台１１に、第１の調節手段を介して旋回取り付け台２３を、第１の垂直軸Ｙ１−Ｙ１の回りに回動可能にかつ使用者の選択した角度に定置可能に取り付け、前記固定台１１の中心軸でありかつ旋回取り付け台２３の回動の中心軸である第１の垂直軸Ｙ１−Ｙ１に対して、これと直交する水平方向に偏心距離ｅをおいて第２の垂直軸Ｙ２−Ｙ２を設定し、前記第２の垂直軸Ｙ２−Ｙ２と直交する水平軸Ｘ−Ｘ上に支持軸取り付けスリーブ２９を配置するとともに、この支持軸取り付けスリーブ２９を前記旋回取り付け台２３に一体に取り付け、この支持軸取り付けスリーブ２９に、水平軸Ｘ−Ｘの回りに長い長穴３０を形成し、前記支持軸取り付けスリーブ２９の内部に、前記長穴３０を通して支持軸４５の根元部分を配置するとともに、第２の調節手段を介して前記支持軸４５を、水平軸Ｘ−Ｘの回りに回動可能にかつ使用者が選択した角度に定置可能に設け、前記支持軸４５に、長穴用のカバー部材６７をはさんでシャワー本体用の受け台７１を取り付け、この受け台７１に、シャワー本体３のシャンク４を差し込んで取り付け可能に構成しているので、シャワー本体３を第１の垂直軸Ｙ１−Ｙ１および水平軸Ｘ−Ｘの回りに大きく回動させても、固定台１１や使用場所の壁面に、シャワー本体３を最下限に旋回してもシャワー本体３のシャンク４に取り付けられたホース５が固定台１１に接触しない。また、シャワー本体３を最上限に旋回してもシャワー本体３のヘッドの后部がシャワー本体掛け具１の取付壁に接触しないようにすることができるので、必要に応じてシャワー本体３を第１の垂直軸Ｙ１−Ｙ１および水平軸Ｘ−Ｘの回りに大きな角度に調節して使用し得る効果がある。
【００７３】
また、本発明では前記固定台１１の上部に、取り付け軸１４を一体に設け、この取り付け軸１４に、第１の調節手段を構成している超高分子量ポリエチレン製の座板３５とゴム状弾性による高摩擦材製の高摩擦板３６の組を装着し、同取り付け軸１４に、ボス部分２４に形成された軸嵌合穴２６を介して旋回取り付け台２３を取り付け、さらに同取り付け軸１４に、第１の調節手段を構成しているゴム状弾性による高摩擦材製の高摩擦板３７と超高分子量ポリエチレン製の座板３８と不回動スラスト座板３９の組を装着し、前記取り付け軸１４の上端部に形成されたねじ穴１６に、第１の調節手段を構成している摩擦力調節部材４２のねじ棒４４をねじ込み、前記取り付け軸１４の回りに旋回取り付け台２３を回動可能にかつ使用者が選択した角度に定置可能に取り付けており、超高分子量ポリエチレン製の座板３５，３８とゴム状弾性による高摩擦材製の高摩擦板３６，３７とを当接させて組み込んだことによる組み合わせ特性を活かして、摩擦力調節部材４２を締め付けて旋回取り付け台２３を定置したときは緩まず、摩擦力調節部材４２の締め付けを緩めて旋回取り付け台２３を回動させるときはスムーズに回動させ得る効果を有する外、固定台本体１２の上部に設けられた取り付け軸１４に、旋回取り付け台２３のボス部分２４に形成された軸嵌合穴２６を嵌合させ、旋回取り付け台２３が取り付け軸１４の回りに回動するようにしているので、耐久性が大きく、したがって旋回取り付け台２３をスムーズに繰り返し回動させ得る効果がある。
【００７４】
さらに、本発明では前記支持軸４５の根元部分に角ブロック４６を設け、前記支持軸取り付けスリーブ２９の内部に、第２の調節手段を構成している内部部品５１を装着するとともに、この内部部品５１を、垂直面で二分割され，かつ中央部に支持軸４５の角ブロック４６を嵌合する角溝５３を有し，しかも軸方向の両端部に摺動円錐部５４，５５を設けた摩擦摺動回動ブロック５２と、超高分子量ポリエチレン製で，かつ前記摩擦摺動回動ブロック５２の当該摺動円錐部５４，５５に嵌合する被摺動円錐面５８，５９を有し，しかも前記摺動円錐部５４，５５と被摺動円錐面５８，５９の嵌合を介して摩擦摺動回動ブロック５２の外側に配置された摩擦固定環５６，５７と、ゴム状弾性による高摩擦材製で，かつ当該摩擦固定環５６，５７の外側に配置された高摩擦板６０，６１と、高摩擦板６１の外側に配置された不回動スラスト座板６２とを組み合わせて構成し、前記内部部品５１の摩擦摺動回動ブロック５２に形成された角溝５３に、支持軸取り付けスリーブ２９に形成された長穴３０を通して支持軸４５の角ブロック４６を嵌合させて支持軸取り付けスリーブ２９に支持軸４５を支持し、前記内部部品５１と支持軸４５の角ブロック４６の中心部に、第２の調節手段を構成している摩擦力調節部材６４のねじ棒６６を挿通し、このねじ棒６６を支持軸取り付けスリーブ２９の端部に形成されたねじ穴３３にねじ込み、前記支持軸４５を水平軸Ｘ−Ｘの回りに回動可能にかつ使用者が選択した角度に定置可能に取り付けており、超高分子量ポリエチレン製の摩擦固定環５６，５７とゴム状弾性による高摩擦材製の高摩擦板６０，６１とを当接させて組み込んだことによる組み合わせ特性を活かして、摩擦力調節部材６４を締め付けて支持軸４５を定置したときは緩まず、摩擦力調節部材６４の締め付けを緩めて支持軸４５を水平軸Ｘ−Ｘの回りに回動させるときはスムーズに回動させ得る効果がある。
【図面の簡単な説明】
【図１】本発明の一実施例を示す分解斜視図である。
【図２】同実施例の使用状態の斜視図である。
【図３】図２のＡ１〜Ａ４で囲まれた垂直面で切断した断面図である。
【図４】図３のＢ−Ｂ矢視図である。
【図５】図３のＣ−Ｃ線断面図である。
【図６】従来技術の使用状態の斜視図である。
【符号の説明】
１    シャワー本体掛け具
２    フォーク状の部分
３    シャワー本体
４    シャンク
５    ホース
１０  シャワー取り付け装置
１１  固定台
１２  固定台本体
１４  取り付け軸
１７  固定台の固定手段
２３  旋回取り付け台
２４  ボス部分
２５  スリーブ取り付け腕
２６  軸嵌合穴
Ｙ１−Ｙ１  第１の垂直軸
Ｙ２−Ｙ２  第２の垂直軸
ｅ    偏心距離
Ｘ−Ｘ  第２の垂直軸に対する水平軸
２９  支持軸取り付けスリーブ
３０  長穴
３５  第１の調節手段を構成している座板
３６，３７  同高摩擦板
３８  同座板
３９  同不回動スラスト座板
４２  同摩擦力調節部材
４５  支持軸
４６  支持軸の根元部分の角ブロック
５１  第２の調節手段を構成している内部部品
５２  内部部品の摩擦摺動回動ブロック
５３  摩擦摺動回動ブロックの角溝
５６，５７  内部部品の摩擦固定環
６０，６１  同高摩擦板
６２  同不回動スラスト座板
６４  第２の調節手段を構成している摩擦力調節部材
６７  長穴のカバー部材
７１  シャワー本体用の受け台
７４  シャンク用穴
【図１】
0003682047.tif 000002
【図２】
0003682047.tif 000003
【図３】
0003682047.tif 000004
【図４】
0003682047.tif 000005
【図５】
0003682047.tif 000006
【図６】
0003682047.tif 000007